(57)【要約】【課題】針糸の張力に抗して上飾り糸を生地表面の所定位置に配置し、縫製部分の見栄えを良好に保つことができる偏平縫いミシンを提供することを目的とする。【解決手段】上飾りルーパ90を駆動する上飾り軸に糸押し部材94を連結し、糸押し部材94を上飾り案内93の上方に配置することによって、糸押し部材94は、上飾りルーパ90に連動して上飾り案内93の上位置にて前後に揺動し、上飾りルーパ90が進出した場合に、案内孔93ａに挿通された上飾り糸 100を押圧して後方へ揺動する構成とした。【選択図】図９
2010075543.tif 000002
【特許請求の範囲】
【請求項１】
生地の送り方向と交叉する方向に並ぶ複数本の針と、該針の並設方向の一側に配してあり、前後に長い案内孔を有する飾り糸案内と、該飾り糸案内の下側に位置し、前記針の前部を横切るように、進退動作する上飾りルーパとを備え、
前記飾り糸案内の案内孔に挿通された上飾り糸を、前記上飾りルーパの進出により捉えて引き出し、前記案内孔の案内下にて前記生地の表面に配糸する偏平縫いミシンにおいて、
前記上飾りルーパに連動して前記上飾り案内の上位置にて前後に移動し、後方への移動により前記案内孔に挿通された上飾り糸を押圧して、前記案内孔の後側に強制移動させる糸押し部材を備えることを特徴とする偏平縫いミシン。
【請求項２】
前記糸押し部材は、ミシンアームの先端に垂下支持された前記上飾りルーパの駆動軸に取り付けてあり、該駆動軸の反復回動に応じて揺動する揺動杆を備えることを特徴とする請求項１に記載の偏平縫いミシン。
【発明の詳細な説明】
【技術分野】
【０００１】
本発明は、複数本の針によって生地の表面に上飾り糸を配置する偏平縫いミシンに関する。
【背景技術】
【０００２】
伸縮性の大きいニット、メリヤス製品等の縫製においては、伸縮性に富み、強度の優れた縫目を作ることができる偏平縫いミシンが広く採用されている（例えば特許文献１参照）。偏平縫いミシンにより形成される偏平縫いは、針糸に上飾り糸を規則的に絡み合わせて生地の表面に配置し、見栄えを良好にするという意匠上の利点も有している。
【０００３】
図１４は従来の４本針偏平縫いミシンにおける針付近の要部構成を示す斜視図である。４本針偏平縫いミシンは、生地 200の送り方向（前後方向）と略直交する面内に並設された針41ａ〜41ｄを備えている。針41ａ〜41ｄは、針棒４の下端に針止め45を介して固定してあり、針棒４の上下動によって上下に動く。また針41ａ〜41ｄはそれぞれの下端に針孔を有しており、これらの針孔には図示のように上方から供給される針糸42ａ〜42ｄが前側から挿通保持される。
【０００４】
生地 200の下方には針41ａ〜41ｄの並設方向に進退動作する図示しないルーパを設けてあり、前記針41ａ〜41ｄ及びルーパの動作により、生地 200に縫目が形成される。
【０００５】
針41ａ〜41ｄの一側に、上飾り糸 100を針41ａ〜41ｄによる縫製位置に供給するための上飾りルーパ90と、上飾り糸 100を案内する飾り糸案内93とが配してある。上飾りルーパ90は円弧状に湾曲する湾曲部分を備えており、該湾曲部分の内側に、上飾り糸 100を引っ掛けるための糸掛け部90ａが針41ａ〜41ｄ側に突出するように設けてある。上飾りルーパ90は、針棒４の後方に配置された駆動軸（図示せず）に連結してある。該駆動軸は軸長方向を上下方向とし、軸回りに反復回動する。上飾りルーパ90は駆動軸の反復回動に応じて駆動軸を中心として揺動する。
【０００６】
飾り糸案内93は上飾りルーパ90の上側に配設してある。飾り糸案内93には上下に貫通した前後に長い案内孔93ａが開設してある。該案内孔93ａの前端は針41ａ〜41ｄよりも前方に位置し、案内孔93ａの後端は針41ａ〜41ｄよりも後方に位置している。また前記針止め45には、飾り糸案内93の上方に向けて延びる糸道44が取り付けてある。該糸道44の先端に上下に貫通した小孔44ａが設けてあり、該小孔44ａは案内孔93ａの上方に位置している。
【０００７】
上飾り糸 100は、図示のように上方から供給され、糸道44の小孔44ａに通して、飾り糸案内93の案内孔93ａに通してあり、後述のように生地 200の表面に配置される。
【０００８】
図１５は上飾りルーパ90の動作説明図である。上飾りルーパ90は、図１５（ａ）に示す退入位置と図１５（ｂ）に示す進出位置との間を揺動する。
【０００９】
上飾りルーパ90が退入位置にある場合には、図１５（ａ）に示すように、上飾りルーパ90の糸掛け部90ａは案内孔93ａの前端部の下側に位置し、上飾り糸 100に対向している。上飾りルーパ90の進出動作が開始されると、上飾りルーパ90は上飾り糸 100を引っ掛けて、案内孔93ａから引き出しながら、針41ａ〜41ｄの前方へ回り込み、図１５（ｂ）に示す進出位置に達する。上飾りルーパ90により引き出される上飾り糸 100には、適宜の張力が付与されており、該上飾り糸 100は、張力の作用により案内孔93ａ内を滑り、案内孔93ａの後端部へ案内される。その結果、案内孔93ａの後端部と糸掛け部90ａとの間に前記上飾り糸 100が張架される。
【００１０】
図１４に示すように、針41ａ〜41ｄは飾り糸案内93側へ向かうに従って上方に位置するように針止め45に固定されている。上飾りルーパ90が進出位置に達したとき、前述のように張架される上飾り糸 100は、針41ａ、41ｂの先端よりも上側に位置し、針41ｃ、41ｄの先端よりも下側に位置する。従って上飾り糸 100は、図１５（ｂ）に示すように、針41ｂの前部に接触して屈曲し、針41ｂと針41ｃとの隙間を通って針41ｃ及び針41ｄの後方へ延出し、平面視略くの字に配される。
【００１１】
上飾り糸 100は、針糸42ａ〜42ｄに絡み合い、生地 200の表面に配置される。図１６は生地の表面側から見た偏平縫いの縫目部分を示す模式的斜視図である。図１６に示すように、生地 200の表面に針糸42ａ〜42ｄによる縫い線が並び、これらの縫い線を横切るように上飾り糸 100が配置され、上飾り糸 100は生地 200の表面にて左右に蛇行するように規則的に配される。なお図１６中の白抜矢符は、生地 200の送り方向を示している。
【特許文献１】特開２００８-１４２４９８号公報
【発明の開示】
【発明が解決しようとする課題】
【００１２】
従来の４本針偏平縫いミシンにおいては、生地 200上に配置されるべき上飾り糸 100を針41ｃが突き刺し、いわゆる糸刺しと呼ばれる縫製不良が発生する場合があり（図１６のＡによって示す囲いの内側参照）、また横切るべき縫い線を上飾り糸 100が横切らず、いわゆる目飛びと呼ばれる縫製不良が発生する場合がある（図１６のＢによって示す囲いの内側参照）。前記縫製不良によって、上飾り糸 100は生地表面にて不規則に配置され、縫製部分の見栄えが悪化するという問題が生じる。
【００１３】
図１７は以上のような縫製不良の発生メカニズムを説明する説明図である。図１７には、上死点にある針41ｄ、生地 200、針糸42ｄ及び上飾り糸 100の位置関係が側面から図示されている。針糸42ｄは針41ｄの針孔から後方斜め下方向に延び、生地 200と針41ｄの針孔との間に、適宜の張力を付与された状態で架設されている。上飾り糸 100は針41ｄの先端よりも下方であって針41ｄよりも後方に位置しており、この上飾り糸 100には針41ｄと生地 200との間に張架された針糸42ｄが後側から接触する場合がある。
【００１４】
一般的に上飾り糸 100の張力は、針糸42ｄの張力よりも小さいので、針糸42ｄが接触する上飾り糸 100は前方に押され、変位する。上飾り糸 100が前方に押された場合には、上飾り糸 100の変位は隣の針41ｃの後側でも生じ、上飾り糸 100は、案内孔93ａと糸掛け部90ａとの間に張架されるので、図１５（ｂ）中の破線によって示すように、前記上飾り糸 100は針41ｃの略真下又は針41ｃよりも前側を通ることがある。
【００１５】
上飾り糸 100が針41ｃの略真下を通った場合には、針41ｃは下動時に上飾り糸 100を先端に引っ掛けるので前記糸刺しが発生し、また上飾り糸 100が針41ｃよりも前側を通った場合には、針糸42ｃと上飾り糸 100とが絡み合わず前記目飛びが発生する。
【００１６】
本発明は斯かる事情に鑑みてなされたものであり、その目的とするところは、針糸の張力に抗して、上飾り糸を生地表面の所定位置に配置し、縫製部分の見栄えを良好に保つことにある。
【課題を解決するための手段】
【００１７】
第１発明に係るミシンは、生地の送り方向と交叉する方向に並ぶ複数本の針と、該針の並設方向の一側に配してあり、前後に長い案内孔を有する飾り糸案内と、該飾り糸案内の下側に位置し、前記針の前部を横切るように、進退動作する上飾りルーパとを備え、前記飾り糸案内の案内孔に挿通された上飾り糸を、前記上飾りルーパの進出により捉えて引き出し、前記案内孔の案内下にて前記生地の表面に配糸する偏平縫いミシンにおいて、前記上飾りルーパに連動して前記上飾り案内の上位置にて前後に移動し、後方への移動により前記案内孔に挿通された上飾り糸を押圧して、前記案内孔の後側に強制移動させる糸押し部材を備えることを特徴とする。
【００１８】
本発明においては、前記上飾りルーパに連動して前記上飾り案内の上位置にて前後に移動する糸押し部材が上飾り糸を押圧し、上飾り糸は案内孔の後側に強制的に移動され、針糸の張力に抗して所定位置に配置される。
【００１９】
第２発明に係るミシンは、前記糸押し部材は、ミシンアームの先端に垂下支持された前記上飾りルーパの駆動軸に取り付けてあり、該駆動軸の反復回動に応じて揺動する揺動杆を備えることを特徴とする。
【００２０】
本発明においては、既存の駆動軸に糸押し部材を取り付け、上飾りルーパと糸押し部材との駆動系を兼用する。
【発明の効果】
【００２１】
第１発明に係るミシンにあっては、前記上飾りルーパに連動して前記上飾り案内の上位置にて前後に移動する糸押し部材を設けることによって、上飾りルーパが進出した場合に、糸押し部材は前記案内孔に挿通された上飾り糸を押圧して後方へ移動し、上飾り糸は針の後方に位置する針糸を押圧するので、針糸の張力に抗して上飾り糸は強制的に所定位置に配置され、縫製部分の見栄えを良好に保つことができる。
【００２２】
第２発明に係るミシンにあっては、既存の駆動軸に糸押し部材を取り付けることによって、案内孔を挿通した上飾り糸を簡素な構成にて後方へ押圧することができ、また駆動軸はミシンアームの内部にて潤滑してあるので、糸押し部材の潤滑を考慮する必要がない。
【発明を実施するための最良の形態】
【００２３】
以下本発明を実施の形態に係る偏平縫いミシンを示す図面に基づいて詳述する。図１は実施の形態に係る偏平縫いミシンの外観を略示する斜視図、図２は針棒への伝動機構の全体構成を偏平縫いミシンの外形と共に略示する斜視図である。
図示の偏平縫いミシンは、ミシン本体１の一側下部に、細径の筒形ベッド２を突設し、同側上部に、筒形ベッド２と略平行をなすようにミシンアーム３を突設してなる縦筒形のミシンとして構成されている。
【００２４】
筒形ベッド２の先端部には針板20が架設されている。針板20の下のミシンアーム３の内部には、図示しない送り装置及びルーパが設けてある。ミシンアーム３の先端部には針棒４が垂下支持されており、該針棒４の下端には四本の針41ａ〜41ｄが並設してある。またミシンアーム３の先端部には図示しない押え棒が垂下支持されており、該押え棒の下端に押え金21を設けてある。
【００２５】
押え金21と前記針板20との間に生地が挾持される。挾持された生地は、前記送り装置の動作によって筒形ベッド２の基端に向けて送出される。該送出に同期して前記針41ａ〜41ｄは上下動し、前記ルーパは針41ａ〜41ｄの並設方向に進退動作する。針41ａ〜41ｄ及びルーパの動作によって生地は縫製される。
【００２６】
ミシン本体１の内側下部には、筒形ベッド２及びミシンアーム３の突設方向と軸長方向を略直交させてミシン主軸５が架設され、またミシン本体１の内側上部には、ミシンアーム３の突設部と対応する高さ位置に、ミシン主軸５と略平行をなして伝動軸６が架設されている。またミシンアーム３の先端部内側には、針棒４の近傍に、ミシン主軸５及び伝動軸６の夫々と略平行をなして針棒駆動軸７が架設されており、ミシン主軸５の回転を伝動軸６及び針棒駆動軸７を介して針棒４に伝え、該針棒４と共に、これの下端に取付けた針41ａ〜41ｄを上下動させるための伝動機構が以下の如く構成されている。
【００２７】
図３は、針棒への伝動機構の構成を示す側面図である。ミシン主軸５の一端部は、ミシン本体１の一側外部に突出され、この突出部に嵌着固定された駆動プーリ50に巻架された駆動ベルト51により、ミシン本体１の下位置に、ミシン主軸５と略平行をなして配された図示しないミシンモータの出力端に連結されており、ミシン主軸５は、駆動ベルト51及び駆動プーリ50を介して伝達される前記ミシンモータの回転により軸回りに回転駆動されるようになしてある。
【００２８】
ミシン主軸５の他端部は、ミシン本体１の他側外部に突出され、この突出部には、伝動プーリ52が嵌着固定されている。ミシン主軸５の上方に架設された伝動軸６も、ミシン本体１の同側に突出され、この突出部には、ミシン主軸５の伝動プーリ52と軸長方向に整合する位置に第１の伝動プーリ61が、またこの伝動プーリ61の内側に第２の伝動プーリ62が夫々嵌着固定されており、第１の伝動プーリ61とミシン主軸５の伝動プーリ52との間には、第１の伝動ベルト60が張架されている。
【００２９】
またミシンアーム３の先端部に架設された針棒駆動軸７も、ミシンアーム３の同側外部に突出され、この突出部には、伝動軸６の第２の伝動プーリ62と軸長方向に整合する位置に伝動プーリ71が嵌着固定されており、該伝動プーリ71と伝動軸６の第２の伝動プーリ62との間には、第２の伝動ベルト70が張架されている。
【００３０】
以上の構成により、ミシン主軸５の回転は、第１の伝動ベルト60を介して伝動軸６に伝達され、更に、第２の伝動ベルト70を介して針棒駆動軸７に伝達され、伝動軸６及び針棒駆動軸７は、夫々の軸回りに全回転する。
【００３１】
以上の伝動により全回転する針棒駆動軸７は、ミシンアーム３の内側に延設されており、クランクアーム80及び針振りアーム81を備える運動変換手段８により針棒４に連結されており、また針棒駆動軸７は、後述する上飾り装置9bへ動力を伝達する上飾り伝動手段9aによって上飾り軸に連結されている。図４は運動変換手段８及び上飾り伝動手段9a付近の要部構成を示す斜視図、図５は運動変換手段８及び上飾り伝動手段9a付近の要部構成を示す分解斜視図、図６は針41ａ〜41ｄ付近の要部構成を示す拡大斜視図である。
【００３２】
図５に示すように針棒駆動軸７の中途には、所定の偏心量を有してクランク72が形成されており、該クランク72には、クランクアーム80の基端部が連結されている。針振りアーム81は、針棒駆動軸７と略平行をなす支軸82により中途部を枢支し、該支軸82の軸回りに揺動可能としてある。針棒駆動軸７の側に延びる針振りアーム81の一端は、クランクアーム80の先端部に枢軸83を介して連結されており、針棒４の側に延びる針振りアーム81の他端は、針棒４の中途を抱持する針棒抱き40に短寸のリンク84を介して連結されている。
【００３３】
以上の構成により針棒駆動軸７の回転は、クランク72に連結されたクランクアーム80を介して針振りアーム81に伝えられ、該針振りアーム81は、支軸82を枢軸とし、針棒駆動軸７の一回転を一周期として揺動する。この揺動に伴う針振りアーム81の他端の上下動が、リンク84及び針棒抱き40を介して針棒４に伝達され、針棒４は上下動する。
【００３４】
針棒４の下端には、図６に示すように、針止め45が固定してある。該針止め45に、下糸を保持するためのリテーナ43が設けてあり、また針41ａ、針41ｂ、針41ｃ、及び針41ｄがこの順に左から右に並設してある。針41ａ〜41ｄはこの順番で上方に位置するように針止め45に固定してある。これらの針41ａ〜41ｄは、前後に貫通した針孔をその下端にそれぞれ備えている。
このように針止め45に取り付けてあるリテーナ43、及び針41ａ〜41ｄは、針棒４の上下動に従って上下動する。
【００３５】
前記針棒駆動軸７に連結してある上飾り装置9bは、上飾り軸９と、上飾りルーパ90と、飾り糸案内93とを備え、更に糸押し部材94を備えている。
上飾り軸９は、ミシンアーム３の内部に軸心を上下に向けて配してある。上飾り軸９は、ミシンアーム３の上下壁に夫々固定された軸受ブッシュ91、92により、軸回りでの回動自在に支持されている。
【００３６】
ミシンアーム３の下方に垂下された上飾り軸９の下端にルーパ台99が設けてあり、該ルーパ台99の下部に上飾りルーパ90を取り付けてある。上飾りルーパ90は、ルーパ台99の下方に垂下した軸部分と、該軸部分の下端部に連設され、軸長方向に直交する面内で円弧状に湾曲する湾曲部分とを備えている。上飾りルーパ90の湾曲部分の内側には針41ａ〜41ｄ側に突出しており、上飾り糸を引っ掛けるための糸掛け部90ａが設けてある。上飾りルーパ90の湾曲部分は前記針41ｄの右側に配置してある。
【００３７】
このように取付けられた上飾りルーパ90は、上飾り軸９の反復回動に応じて上飾り軸９を中心としてルーパ台99と共に揺動し、針41ｄの右側から針41ａの左側へ進出し、針41ａの左側から針41ｄの右側へ退入する。
【００３８】
飾り糸案内93は、図１に示すように、ミシンアーム３の前面に取り付けてあり、ミシンアーム３の下方への垂下端を曲げ、上飾り軸９に直交する板状部を有している。飾り糸案内93の板状部は上飾りルーパ90の上方に位置している。飾り糸案内93の板状部には、上下に貫通した前後に長い案内孔93ａが設けてある。該案内孔93ａの前端は針41ａ〜41ｄよりも前方に位置し、案内孔93ａの後端は針41ａ〜41ｄよりも後方に位置している。
【００３９】
糸押し部材94は、前記ルーパ台99と一体に設けた保持台95に保持してあり、保持台95から垂下した連結軸94ａと、該連結軸94ａの下端に連設してあり、軸長方向に直角な揺動杆94ｂとを有している。該揺動杆94ｂは、前記飾り糸案内93の板状部よりも上側に位置している。糸押し部材94は上飾りルーパ90の右側に位置し、保持台95と共に前記上飾りルーパ90と同期して揺動し、揺動杆94ｂは案内孔93ａの上方にて揺動する。なお前記保持台95は前記ルーパ台99に一体に設けてあるが、保持台95を前記ルーパ台99と別体に形成して上飾り軸９に取り付けても良い。このようにすれば上飾りルーパ90及び糸押し部材94の揺動域を適宜設定することができる。
【００４０】
上飾り伝動手段9aは、針棒駆動軸７の回転を上飾り軸９に伝え、該上飾り軸９を反復回動させるべく構成されており、上飾りレバー92ｂ、揺動アーム91ａ、上飾りクランクアーム92ａ及び連結リンク98ａを備えている。上飾りレバー92ｂは、前記支軸82に支持され、前記支軸82を枢軸として揺動自在に取付けられている。
【００４１】
上飾りクランクアーム92ａは、針棒駆動軸７の中途部に所定の偏心量を有して設けられた上飾りクランク73に基部を連結されており、上飾り軸９の側に向けて延びる上飾りクランクアーム92ａの先端は、針棒駆動軸７の側に向けて延びる上飾りレバー92ｂの一端に連結されている。この連結は、図５に示す如く、上飾りレバー92ｂに設けた長孔92ｃに沿って位置調節可能になされている。
【００４２】
以上の構成により針棒駆動軸７の回転は、上飾りクランク73に連結された上飾りクランクアーム92ａを介して上飾りレバー92ｂに伝えられ、該上飾りレバー92ｂは、前記支軸82を枢軸とし、針棒駆動軸７の一回転を一周期として揺動する。この揺動角度は、前述の如く長孔92ｃに沿ってなされる上飾りクランクアーム92ａと上飾りレバー92ｂとの連結位置の調節により変更することができる。
【００４３】
揺動アーム91ａは、上下の支持ブッシュ91、92間に位置して上飾り軸９の中途部を抱持するように取付けられている。図５に示すように、径方向外向きに突出する揺動アーム91ａの先端は、下方に延びる上飾りレバー92ｂの他端に連結リンク98ａを介して連結されている。揺動アーム91ａの先端部には、図５に示す如く、上飾り軸９と平行をなして下方に延びる連結ピン96ａが突設されており、揺動アーム91ａと連結リンク98ａとの連結は、連結リンク98ａの同側の端部に設けたブラケットを、前記連結ピン96ａに軸長方向への摺動自在に嵌め合わせてなされている。
【００４４】
また上飾りレバー92ｂの他端部には、支軸82及び針棒駆動軸７と略平行をなして連結ピン97ａが突設してあり、上飾りレバー92ｂと連結リンク98ａとの連結は、連結ピン97ａの先端に一体に連設された玉継手97bを介してなされている。
【００４５】
以上の構成により前述の如く生じる上飾りレバー92ｂの揺動は、連結リンク98ａを介して揺動アーム91ａに伝えられ、該揺動アーム91ａが取付けられた上飾り軸９は、上飾りレバー92ｂの揺動角度に対応する角度にて反復回動せしめられ、該上飾り軸９の下端に取付けられた上飾りルーパ90による後述する糸供給動作がなされると共に糸押し部材94による後述する糸案内補助動作がなされる。
【００４６】
図７〜図１２は、針41ａ〜41ｄ、飾り糸案内93、上飾りルーパ90及び糸押し部材94の一連の動きを説明する説明図、図１３は上飾りルーパ90及び糸押し部材94の動作説明図である。図１３（ａ）は図７に対応しており、図１３（ｂ）は図９に対応している。
【００４７】
針41ａ〜41ｄは上下動し、上飾りルーパ90及び糸押し部材94は針41ａ〜41ｄの上下動に応じて揺動する。上飾りルーパ90及び糸押し部材94は図１３（ａ）に示す退入位置と、図１３（ｂ）に示す進出位置との間を揺動する。上飾りルーパ90及び糸押し部材94が退入位置にあるときに、針41ａ〜41ｄは下死点近傍にあり、図７に示すように、生地 200を貫通している。上飾りルーパ90及び糸押し部材94が進出位置にあるときに、針41ａ〜41ｄは上死点近傍にあり、図９に示すように、生地 200の上方に所定長離隔している。
【００４８】
針41ａ〜41ｄの針孔には上方から供給される針糸42ａ〜42ｄが前側から挿通してある。針41ａ〜41ｄの上下動及び前述したルーパの進退動作により、生地 200の表面に針糸42ａ〜42ｄによる縫目が形成される。
【００４９】
針41ａ〜41ｄを固定する針止め45の前面には、飾り糸案内93に設けた案内孔93ａの前端部の上方に向けて延出された糸道44が取り付けてある。この糸道44の延出端部には上下に貫通する小孔44ａが設けてある。上方から供給される上飾り糸 100は、糸道44の小孔44ａを通して、飾り糸案内93の案内孔93ａに通してあり、後述する上飾りルーパ90及び糸押し部材94の動作によって生地 200の表面に配置される。
【００５０】
上飾りルーパ90の糸掛け部90ａは案内孔93ａの前端部の下側に位置しており、案内孔93ａと生地 200との間に架設された上飾り糸 100に対向している。
【００５１】
上飾りルーパ90の進出動作が開始されると、図８中に実線矢符によって示すように、上飾りルーパ90が動き、この動きによって、上飾りルーパ90の糸掛け部90ａは上飾り糸 100を引っ掛けて、案内孔93ａから引き出しながら、針41ｄの前方へ進出する。また糸押し部材94の揺動杆94ｂは、図８中に白抜矢符によって示すように、上飾りルーパ90と同期して、糸道44と飾り糸案内93との間に配された上飾り糸 100に向かって後方へ揺動する。また針41ａ〜41ｄは、図８中に破線矢符によって示すように、糸道44と共に上昇する。
【００５２】
そして針41ａ〜41ｄが上死点に至る時に、図９中に実線矢符によって示すように、糸掛け部90ａは針41ａの左側へ達する。図１３（ｂ）に示すように、糸掛け部90ａは針41ａの正面視左側やや前方に位置する。また糸押し部材94の揺動杆94ｂは、図９中に白抜矢符によって示すように、案内孔93ａの上側にて後方へ揺動し、上飾り糸 100を後方へ押圧する。この押圧によって案内孔93ａを挿通した上飾り糸 100は、上飾りルーパ90の進出動作に従って案内孔93ａの後端部へ案内され、案内孔93ａの後端部と糸掛け部90ａとの間、すなわち針41ｄの右側やや後方と針41ａの左側やや前方との間に上飾り糸 100が張架される（図１３（ｂ）参照）。
【００５３】
針41ａ〜41ｄの位置は上死点にある時に、図９に示すように、上飾り糸 100の位置よりも針41ａ、41ｂの先端は下側に、針41ｃ、41ｄの先端は上側になるように設定してある。従って図１３（ｂ）に示すように、案内孔93ａと糸掛け部90ａとの間に張架される上飾り糸 100は、針41ａ及び針41ｂの前方に配置されると共に、針41ｂの前部に接触して屈曲し、針41ｂと針41ｃとの隙間を通って針41ｃ及び針41ｄの後方へ延出し、略平面視くの字に配される。
【００５４】
また生地 200から延出し、糸掛け部90ａにて折り返す上飾り糸 100は、図１３（ｂ）に示すように、針41ａ〜41ｄの後方に位置する。
【００５５】
針41ａ〜41ｄは上死点に至った後に、図１０中の破線矢符によって示すように、下降を開始し、針糸42ａ〜42ｄと上飾り糸 100とが絡み合う。このとき、図１０中の実線矢符にて示すように、上飾りルーパ90は右側へ向けて退入を開始し、上飾り糸 100は糸掛け部90ａから外れる。また上飾りルーパ90と同期して、図１０中の白抜矢符によって示すように、糸押し部材94の揺動杆94ｂは前側への揺動を開始する。
【００５６】
そして図１１中の破線矢符によって示すように、針41ａ〜41ｄは下降を継続し、針41ａ、41ｂが生地 200を貫通する。また図１１中の実線矢符によって示すように、上飾りルーパ90は右側へ向けて退入を継続し、上飾りルーパ90の糸掛け部90ａは針41ａ〜41ｄの前方を通過する。また図１１中の白抜矢符によって示すように、糸押し部材94の揺動杆94ｂは前方への揺動を継続し、案内孔93ａの前端部へ向けて揺動する。
【００５７】
そして図１２中の破線矢符によって示すように、針41ａ〜41ｄは下降を継続し、針41ａ〜41ｄは生地 200を貫通し、これらの針41ａ〜41ｄの針糸42ａ〜42ｄが上飾り糸 100を生地 200の表面に押さえる。また図１２中の実線矢符によって示すように、上飾りルーパ90は右側へ向けて退入を継続し、上飾りルーパ90の糸掛け部90ａは針41ｄの右側を通過する。また図１２中の白抜矢符によって示すように、糸押し部材94の揺動杆94ｂは前方への揺動を継続し、案内孔93ａよりも前側を揺動する。そして針41ａ〜41ｄ、上飾りルーパ90、及び糸押し部材94は、図７に示す位置に戻る。
【００５８】
実施の形態に係る偏平縫いミシンにあっては、上飾りルーパが進出した場合に、糸押し部材94は上飾り糸 100を押圧して針41ａ〜41ｄの後方に位置する針糸42ａ〜42ｄへ向けて進出し、針糸42ｄの張力に抗して、針糸42ｃと針41ｃとの間及び針糸42ｄと針41ｄとの間に上飾り糸 100は位置するので、上飾り糸 100と針糸42ｃとが絡み合い、上飾り糸 100は生地表面の所定位置に配置され、図１６中に示すような縫製不良は生じず、縫製部分の見栄えを良好に保つことができる。またミシンアーム３の内部にて潤滑してある上飾り軸９に糸押し部材94を連結しているので、糸押し部材94専用の駆動装置を必要とせず、潤滑も兼用することができる。また既存の上飾り軸９によって糸押し部材94を前後に揺動させており、簡素な構成にて上飾り糸 100を後方へ押圧することができる。
【００５９】
なお実施の形態に係る偏平縫いミシンは４本の針を使用しているが、２本若しくは３本の針を使用する偏平縫いミシン、又は５本以上の針を使用する偏平縫いミシンに糸押し部材94を設けても良い。また本発明に係る偏平縫いミシンは、実施の形態に示す縦筒形の偏平縫いミシンに限らず、送り出し腕形偏平縫いミシン等の他の形式の偏平縫いミシンにも適用できることは言うまでもない。
【図面の簡単な説明】
【００６０】
【図１】実施の形態に係る偏平縫いミシンの外観を略示する斜視図である。
【図２】針棒への伝動機構の全体構成を偏平縫いミシンの外形と共に略示する斜視図である。
【図３】針棒への伝動機構の構成を示す側面図である。
【図４】運動変換手段及び上飾り伝動手段付近の要部構成を示す斜視図である。
【図５】運動変換手段及び上飾り伝動手段付近の要部構成を示す分解斜視図である。
【図６】針付近の要部構成を示す拡大斜視図である。
【図７】針、飾り糸案内、上飾りルーパ及び糸押し部材の一連の動きを説明する説明図である。
【図８】針、飾り糸案内、上飾りルーパ及び糸押し部材の一連の動きを説明する説明図である。
【図９】針、飾り糸案内、上飾りルーパ及び糸押し部材の一連の動きを説明する説明図である。
【図１０】針、飾り糸案内、上飾りルーパ及び糸押し部材の一連の動きを説明する説明図である。
【図１１】針、飾り糸案内、上飾りルーパ及び糸押し部材の一連の動きを説明する説明図である。
【図１２】針、飾り糸案内、上飾りルーパ及び糸押し部材の一連の動きを説明する説明図である。
【図１３】上飾りルーパ及び糸押し部材の動作説明図である。
【図１４】従来の４本針偏平縫いミシンにおける針付近の要部構成を示す斜視図である。
【図１５】従来の偏平縫いミシンにおける上飾りルーパの動作説明図である。
【図１６】従来の偏平縫いミシンにおける生地の表面側から見た偏平縫いの縫目部分を示す模式的斜視図である。
【図１７】従来の４本針偏平縫いミシンにおける縫製不良の発生メカニズムを説明する説明図である。
【符号の説明】
【００６１】
３  ミシンアーム
４  針棒
７  針棒駆動軸
８  運動変換手段
９  上飾り軸（駆動軸）
9a  上飾り伝動手段
41  針
42  針糸
90  上飾りルーパ
93  飾り糸案内
93a   挿通穴
94  糸押し部材
94ａ  連結軸
94ｂ  湾曲体
94ｃ  揺動杆
100   上飾り糸
【図１】
2010075543.tif 000003
【図２】
2010075543.tif 000004
【図３】
2010075543.tif 000005
【図４】
2010075543.tif 000006
【図５】
2010075543.tif 000007
【図６】
2010075543.tif 000008
【図７】
2010075543.tif 000009
【図８】
2010075543.tif 000010
【図９】
2010075543.tif 000011
【図１０】
2010075543.tif 000012
【図１１】
2010075543.tif 000013
【図１２】
2010075543.tif 000014
【図１３】
2010075543.tif 000015
【図１４】
2010075543.tif 000016
【図１５】
2010075543.tif 000017
【図１６】
2010075543.tif 000018
【図１７】
2010075543.tif 000019